(57)【要約】  有機ＥＬ表示装置（１）は、素子基板（３０）と、素子基板（３０）に対向して設けられた封止基板（２０）と、素子基板（３０）上に設けられるとともに、素子基板（３０）と封止基板（２０）との間に設けられた有機ＥＬ素子（４）と、素子基板（３０）と封止基板（２０）との間に設けられ、有機ＥＬ素子（４）を封止するように素子基板（３０）と封止基板（２０）とを貼り合わせるシール材（５）と、封止基板（２０）上に形成されるとともに、素子基板（３０）と封止基板（２０）との間に設けられ、有機ＥＬ素子（４）の表面を覆う封止樹脂（１４）とを備えている。そして、有機ＥＬ表示装置（１）の面方向Ｘにおいて、シール材（５）と封止樹脂（１４）とが離間して配置されている。
2011001573.tif 000002
【特許請求の範囲】
【請求項１】
第１基板と、
前記第１基板に対向して設けられた第２基板と、
前記第１基板上に形成されるとともに、前記第１基板と前記第２基板との間に設けられた有機ＥＬ素子と、
前記第１基板と前記第２基板との間に設けられ、前記有機ＥＬ素子を封止するように前記第１基板と前記第２基板とを貼り合わせるシール材と、
前記第２基板上に形成されるとともに、前記第１基板と前記第２基板との間に設けられ、前記有機ＥＬ素子の表面を覆う封止樹脂と
を備え、
有機ＥＬ表示装置の面方向において、前記シール材と前記封止樹脂とが離間して配置されていることを特徴とする有機ＥＬ表示装置。
【請求項２】
前記封止樹脂の厚みをＴ、前記面方向における前記シール材と前記封止樹脂との距離をＥ、前記シール材の幅をＬとした場合、０．５Ｌ＋０．１Ｔ≦Ｅ≦５０Ｔの関係が成立することを特徴とする請求項１に記載の有機ＥＬ表示装置。
【請求項３】
前記封止樹脂の厚みが１μｍ以上１００μｍ以下であることを特徴とする請求項１または請求項２に記載の有機ＥＬ表示装置。
【請求項４】
前記封止樹脂が、紫外線硬化性樹脂により形成されていることを特徴とする請求項１〜請求項３のいずれか１項に記載の有機ＥＬ表示装置。
【請求項５】
前記封止樹脂が、アクリル樹脂またはエポキシ樹脂により形成されていることを特徴とする請求項１〜請求項４のいずれか１項に記載の有機ＥＬ表示装置。
【請求項６】
前記有機ＥＬ素子の表面上に、可視光透過性を有するとともに紫外線遮光性を有する遮光部材が設けられていることを特徴とする請求項１〜請求項５のいずれか１項に記載の有機ＥＬ表示装置。
【請求項７】
第１基板上に有機ＥＬ素子を形成する有機ＥＬ素子形成工程と、
第２基板上に、シール材を枠状に形成するシール材形成工程と、
前記第２基板に形成された前記シール材の内側に、封止樹脂を形成するための樹脂材料を前記シール材から離間させて塗布する樹脂材料塗布工程と、
真空雰囲気で、前記シール材を介して、前記第１基板と前記第２基板とを貼り合わせるとともに、前記シール材の内側において、前記樹脂材料を均一に拡散させる貼合体形成工程と、
前記樹脂材料を硬化させて前記封止樹脂を前記第２基板上に形成するとともに、前記シール材を形成する樹脂を硬化させ、有機ＥＬ表示装置の面方向において、前記シール材と前記封止樹脂とを離間して配置する樹脂硬化工程と
を少なくとも備えることを特徴とする有機ＥＬ表示装置の製造方法。
【請求項８】
前記樹脂硬化工程において、前記封止樹脂の厚みをＴ、前記面方向における前記シール材と前記封止樹脂との距離をＥ、前記シール材の幅をＬとした場合、０．５Ｌ＋０．１Ｔ≦Ｅ≦５０Ｔの関係が成立するように、前記シール材と前記封止樹脂とを離間して配置することを特徴とする請求項７に記載の有機ＥＬ表示装置の製造方法。
【請求項９】
前記樹脂材料塗布工程において、前記シール材の内側に、前記樹脂材料を滴下して注入することを特徴とする請求項７または請求項８に記載の有機ＥＬ表示装置の製造方法。
【請求項１０】
前記樹脂硬化工程において、加熱処理を行うことを特徴とする請求項７〜請求項９のいずれか１項に記載の有機ＥＬ表示装置の製造方法。
【発明の詳細な説明】
【技術分野】
【０００１】
本発明は、有機電界発光素子（有機エレクトロルミネッセンス素子：以下、「有機ＥＬ素子」と記載する）を備えた有機ＥＬ表示装置およびその製造方法に関する。
【背景技術】
【０００２】
近年、フルカラーディスプレイ等の次世代フラットパネル表示装置として有機ＥＬ表示装置が注目されている。この有機ＥＬ表示装置は、自己発光型の表示装置であり、視野角特性に優れ、視認性が高く、低消費電力であり、かつ薄型化が可能であるため、需要が高まってきている。【０００３】
この有機ＥＬ表示装置は、所定の配列で配列された複数の有機ＥＬ素子を有し、複数の有機ＥＬ素子の各々は、絶縁性の基板上に形成された第１電極（陽極）と、第１電極上に形成された発光層を有する有機層と、有機層上に形成された第２電極（陰極）とを備えている。【０００４】
ここで、有機ＥＬ素子は、一般に、一定期間駆動すると、発光輝度や発光の均一性等の発光特性が初期の場合に比し著しく低下してしまう。このような発光特性の劣化の原因としては、有機ＥＬ素子の内部に進入した外気からの水分に起因する有機層の劣化や、外気中の酸素に起因する電極の酸化、これらの水分や酸素に起因する有機層と電極との間の剥離等が挙げられる。【０００５】
そこで、これらの水分や酸素を除去するための構造を備えた有機ＥＬ表示装置が提案されている。より具体的には、例えば、有機層が対向する一対の電極間に狭持された有機ＥＬ素子と、有機ＥＬ素子を収納して外気を遮断する気密性容器と、気密性容器内に、有機ＥＬ素子から隔離して配置され、化学的に水分を吸着する乾燥手段とを備えた有機ＥＬ表示装置が開示されている（例えば、特許文献１参照）。【０００６】
また、例えば、第１電極と、第１電極上に形成された有機層と、有機層を第１電極と挟むように有機層上に形成された第２電極と、有機層を密封するように形成された密封部材とを備え、密封部材により密封された空間内のいずれかの位置に、アルカリ金属もしくはアルカリ土類金属を有する脱酸素脱水部が形成されている有機ＥＬ表示装置が開示されている（例えば、特許文献２参照）。【０００７】
しかし、上記特許文献１に記載の有機ＥＬ表示装置では、気密性容器内の水分を除去することはできるものの、有機層の内部の水分を除去することはできないという問題があった。また、上記特許文献２に記載の有機ＥＬ表示装置においては、脱酸素脱水部を形成するアルカリ金属またはアルカリ土類金属が、水分や酸素に対して非常に反応性が高いため不安定であり、安定した耐久性が得られないという問題があった。【０００８】
そこで、有機ＥＬ素子を水分や酸素から保護するための封止樹脂が設けられた有機ＥＬ表示装置が提案されている。より具体的には、素子基板に形成された有機ＥＬ素子の発光領域を封止するための封止樹脂と、封止基板上に設けられ、発光領域と電極領域とを遮るように形成された防護壁として作用するシール材とを備えた有機ＥＬ表示装置が開示されている。そして、このような構成により、発光領域において、有機ＥＬ素子を水分や酸素から保護するための封止樹脂を塗布により形成した場合であっても、シール材により、未硬化の封止樹脂が電極領域側へ拡散することを防止できると記載されている（例えば、特許文献３参照）。
【先行技術文献】
【特許文献】
【０００９】
【特許文献１】特開平９−１４８０６６号公報
【特許文献２】特開２００２−８８５２号公報
【特許文献３】特許第３７０５１９０号公報
【発明の概要】
【発明が解決しようとする課題】
【００１０】
しかし、上記特許文献３に記載の有機ＥＬ表示素子では、素子基板側に設けられた有機ＥＬ素子の表面上に封止樹脂を塗布する構成としているため、素子基板と封止基板の間での封止樹脂の厚みの制御が困難になり、表示性能が低下するという問題があった。【００１１】
より具体的には、素子基板においては、表示領域とその周辺の領域では、その表面の凹凸の程度が異なるため、素子基板上に形成された封止樹脂の厚みが均一にならない。また、この様な封止樹脂の高さが均一にならない状態で、素子基板と封止基板を貼り合わせた場合、表示領域とその周辺の領域における基板間の距離が大きく異なることになる。更に、表示領域において、一方の基板側に上記凹凸に起因する跳ね上がりが発生し、局所的に基板間の距離が大きくなる場合がある。その結果、表示領域とその周辺領域において、基板間の距離が大きく異なることになるため、表示ムラが発生し、当該表示ムラの発生により表示性能が低下するという問題があった。【００１２】
また、有機ＥＬ素子の表面上に封止樹脂を塗布すると、表示領域において塗布打痕が生じてしまい、有機ＥＬ表示装置の表示品質が低下するという問題があった。【００１３】
また、素子基板と封止基板を貼り合わせる際に、シール材と封止樹脂が接触するため、シール材と封止樹脂との接触領域において、未硬化の封止樹脂とシール材が物理的に混ざり合い、未硬化の封止樹脂によりシール材が溶解する現象（相溶作用）が生じるとともに、当該相溶作用に起因してアウトガスが発生するという不都合が生じていた。【００１４】
更に、素子基板と封止基板を貼り合わせる際に、封止樹脂等の材料から発生するアウトガスにより、有機ＥＬ表示装置の内部の圧力が過度に上昇して、封止樹脂とシール材との界面において損傷が生じるという不都合があった。【００１５】
そこで、本発明は、上述の問題に鑑みてなされたものであり、表示性能の低下を防止することができるとともに、封止樹脂とシール材との混合に起因する相溶作用を防止でき、アウトガスの発生による損傷を防止することができる有機ＥＬ表示装置及びその製造方法を提供することを目的とする。
【課題を解決するための手段】
【００１６】
上記目的を達成するために、本発明の有機ＥＬ表示装置は、第１基板と、第１基板に対向して設けられた第２基板と、第１基板上に形成されるとともに、第１基板と第２基板との間に設けられた有機ＥＬ素子と、第１基板と第２基板との間に設けられ、有機ＥＬ素子を封止するように第１基板と第２基板とを貼り合わせるシール材と、第２基板上に形成されるとともに、第１基板と第２基板との間に設けられ、有機ＥＬ素子の表面を覆う封止樹脂とを備え、有機ＥＬ表示装置の面方向において、シール材と封止樹脂とが離間して配置されていることを特徴とする。【００１７】
同構成によれば、封止樹脂を第２基板上に形成する構成としている。従って、上記従来技術とは異なり、有機ＥＬ素子が形成された第１基板の表面上に封止樹脂を塗布する必要がなくなるため、第１基板と第２基板との間での封止樹脂の厚みの制御が容易になる。その結果、有機ＥＬ表示装置の表示性能の低下を防止することが可能になる。【００１８】
また、第２基板上に封止樹脂を形成するため、第１基板側に設けられた有機ＥＬ素子の表面上に封止樹脂を塗布する必要がなくなる。従って、表示領域における塗布打痕の発生を防止でき、塗布打痕に起因する有機ＥＬ表示装置の表示品質の低下を防止できる。【００１９】
また、有機ＥＬ表示装置の面方向において、シール材と封止樹脂とを離間して配置する構成としている。従って、第１基板と第２基板を貼り合わせる際に、シール材と封止樹脂との接触を回避することができる。その結果、未硬化の封止樹脂とシール材が物理的に混ざり合い、未硬化の封止樹脂によりシール材が溶解する現象（相溶作用）の発生を防止することができる。また、相溶作用を防止できるため、相溶作用に起因する未反応材料からのアウトガスの発生を防止することができる。【００２０】
更に、シール材と封止樹脂とが離間して配置されているため、シール材と封止樹脂との間にスペース（空間）が形成されることになる。従って、第１基板と第２基板を貼り合わせる際に、封止樹脂等の材料からアウトガスが発生した場合であっても、発生したアウトガスをスペースに向けて効率よく逃がすことが可能なる。その結果、アウトガスにより、有機ＥＬ表示装置の内部の圧力が過度に上昇して、封止樹脂とシール材との界面において損傷が生じるという不都合を防止することができる。【００２１】
また、本発明の有機ＥＬ表示装置においては、封止樹脂の厚みをＴ、面方向におけるシール材と封止樹脂との距離をＥ、シール材の幅をＬとした場合、０．５Ｌ＋０．１Ｔ≦Ｅ≦５０Ｔの関係が成立する構成としても良い。【００２２】
同構成によれば、有機ＥＬ表示装置の大型化という不都合を生じることなく、相溶作用の発生を防止して、アウトガスによる有機ＥＬ表示装置の内部の圧力の上昇を防止することができる。【００２３】
また、本発明の有機ＥＬ表示装置においては、封止樹脂の厚みが１μｍ以上１００μｍ以下であっても良い。【００２４】
同構成によれば、有機ＥＬ素子の耐久性を十分に確保することができる。【００２５】
また、本発明の有機ＥＬ表示装置においては、封止樹脂が、紫外線硬化性樹脂により形成されていても良い。【００２６】
同構成によれば、封止樹脂の製造工程数を減らして、封止樹脂を容易に形成することができる。【００２７】
また、本発明の有機ＥＬ表示装置においては、封止樹脂が、アクリル樹脂またはエポキシ樹脂により形成されていても良い。【００２８】
同構成によれば、安価かつ汎用性にある樹脂材料により封止樹脂を形成することができる。【００２９】
また、本発明の有機ＥＬ表示装置においては、有機ＥＬ素子の表面上に、可視光透過性を有するとともに紫外線遮光性を有する遮光部材が設けられていても良い。【００３０】
同構成によれば、例えば、紫外線照射による硬化により、封止樹脂及びシール材を形成する際に、有機ＥＬ素子への紫外線の進入を確実に防止することが可能になる。その結果、紫外線照射による有機ＥＬ素子の劣化を防止することが可能になる。また、遮光部材は可視光透過性を有するため、有機ＥＬ表示装置を、第１基板側から光を取り出すボトムエミッション型、第２基板側から光を取り出すトップエミッション型、及び第１基板側と第２基板側から光を取り出す両面発光型ののいずれの発光タイプにも適用することが可能になる。【００３１】
本発明の有機ＥＬ表示装置の製造方法は、第１基板上に有機ＥＬ素子を形成する有機ＥＬ素子形成工程と、第２基板上に、シール材を枠状に形成するシール材形成工程と、第２基板に形成されたシール材の内側に、封止樹脂を形成するための樹脂材料をシール材から離間させて塗布する樹脂材料塗布工程と、真空雰囲気で、シール材を介して、第１基板と第２基板とを貼り合わせるとともに、シール材の内側において、樹脂材料を均一に拡散させる貼合体形成工程と、樹脂材料を硬化させて封止樹脂を第２基板上に形成するとともに、シール材を形成する樹脂を硬化させ、有機ＥＬ表示装置の面方向において、シール材と封止樹脂とを離間して配置する樹脂硬化工程とを少なくとも備えることを特徴とする。【００３２】
同構成によれば、封止樹脂を第２基板上に形成する構成としている。従って、上記従来技術とは異なり、有機ＥＬ素子が形成された第１基板の表面上に封止樹脂を塗布する必要がなくなるため、第１基板と第２基板との間での封止樹脂の厚みの制御が容易になる。その結果、有機ＥＬ表示装置の表示性能の低下を防止することが可能になる。【００３３】
また、第２基板上に封止樹脂を形成するため、第１基板側に設けられた有機ＥＬ素子の表面上に封止樹脂を塗布する必要がなくなる。従って、表示領域における塗布打痕の発生を防止でき、塗布打痕に起因する有機ＥＬ表示装置の表示品質の低下を防止できる。【００３４】
また、有機ＥＬ表示装置の面方向において、シール材と封止樹脂とを離間して配置する構成としている。従って、第１基板と第２基板を貼り合わせる際に、シール材と封止樹脂との接触を回避することができる。その結果、未硬化の封止樹脂とシール材が物理的に混ざり合い、未硬化の封止樹脂によりシール材が溶解する現象（相溶作用）の発生を防止することができる。また、相溶作用を防止できるため、相溶作用に起因する未反応材料からのアウトガスの発生を防止することができる。【００３５】
更に、シール材と封止樹脂とが離間して配置されているため、シール材と封止樹脂との間にスペース（空間）が形成されることになる。従って、第１基板と第２基板を貼り合わせる際に、封止樹脂等の材料からアウトガスが発生した場合であっても、発生したアウトガスをスペースに向けて効率よく逃がすことが可能なる。その結果、アウトガスにより、有機ＥＬ表示装置の内部の圧力が過度に上昇して、封止樹脂とシール材との界面において損傷が生じるという不都合を防止することができる。【００３６】
また、本発明の有機ＥＬ表示装置の製造方法においては、樹脂硬化工程において、封止樹脂の厚みをＴ、面方向におけるシール材と封止樹脂との距離をＥ、シール材の幅をＬとした場合、０．５Ｌ＋０．１Ｔ≦Ｅ≦５０Ｔの関係が成立するように、シール材と封止樹脂とを離間して配置する構成としても良い。【００３７】
同構成によれば、有機ＥＬ表示装置の大型化という不都合を生じることなく、相溶作用の発生を防止して、アウトガスによる有機ＥＬ表示装置の内部の圧力の上昇を防止することができる。【００３８】
また、本発明の有機ＥＬ表示装置の製造方法においては、樹脂材料塗布工程において、シール材の内側に、樹脂材料を滴下して注入する構成としても良い。【００３９】
同構成によれば、封止樹脂を形成する樹脂材料を塗布する際に、封止基板上に形成されたシール材と樹脂材料との接触を容易に回避することができる。【００４０】
また、本発明の有機ＥＬ表示装置の製造方法においては、樹脂硬化工程において、加熱処理を行う構成としても良い。【００４１】
同構成によれば、シール材及び封止樹脂を熱収縮させることができるため、シール材と樹脂材料との間にスペースが確実に形成されるとともに、シール材と封止樹脂とを確実に離間して配置することができる。
【発明の効果】
【００４２】
本発明によれば、封止樹脂とシール材を備える有機ＥＬ表示装置において、表示性能の低下を防止することができるとともに、封止樹脂とシール材との混合に起因する相溶作用を防止できる。また、アウトガスの発生による損傷を防止することができる。
【図面の簡単な説明】
【００４３】
【図１】本発明の実施形態に係る有機ＥＬ表示装置の平面図である。
【図２】図１のＡ−Ａ断面図である。
【図３】本発明の実施形態に係る有機ＥＬ表示装置が備える有機ＥＬ素子を構成する有機層を説明するための断面図である。
【図４】本発明の実施形態に係る有機ＥＬ表示装置の製造方法を説明するための図である。
【図５】本発明の実施形態に係る有機ＥＬ表示装置の製造方法を説明するための図である。
【図６】本発明の実施形態に係る有機ＥＬ表示装置の製造方法を説明するための図である。
【図７】本発明の実施形態に係る有機ＥＬ表示装置の製造方法を説明するための図である。
【図８】本発明の実施形態に係る有機ＥＬ表示装置の製造方法を説明するための図である。
【図９】本発明の実施形態に係る有機ＥＬ表示装置の製造方法を説明するための図である。
【図１０】本発明の実施形態に係る有機ＥＬ表示装置の製造方法を説明するための図である。
【図１１】本発明の実施形態に係る有機ＥＬ表示装置の製造方法を説明するための図である。
【図１２】本発明の実施形態に係る有機ＥＬ表示装置の製造方法を説明するための図である。
【図１３】本発明の実施形態に係る有機ＥＬ表示装置の製造方法を説明するための図である。
【図１４】本発明の有機ＥＬ表示装置の変形例を説明するための断面図である。
【発明を実施するための形態】
【００４４】
以下、本発明の実施形態を図面に基づいて詳細に説明する。尚、本発明は、以下の実施形態に限定されるものではない。
【００４５】
図１は、本発明の実施形態に係る有機ＥＬ表示装置の平面図であり、図２は、図１のＡ−Ａ断面図である。また、図３は、本発明の実施形態に係る有機ＥＬ表示装置が備える有機ＥＬ素子を構成する有機層を説明するための断面図である。
【００４６】
図１、図２に示す様に、有機ＥＬ表示装置１は、第１基板である素子基板３０と、素子基板３０に対向する第２基板である封止基板２０と、素子基板３０上に形成されるとともに、素子基板３０及び封止基板２０の間に設けられた有機ＥＬ素子４とを備えている。また、有機ＥＬ表示装置１は、素子基板３０と封止基板２０との間に設けられ、有機ＥＬ素子４を封止するように素子基板３０と封止基板２０とを貼り合わせるシール材５を備えている。このシール材５は、有機ＥＬ素子４を周回するように枠状に形成されており、素子基板３０と封止基板２０は、このシール材５を介して相互に貼り合わされている。
【００４７】
また、図１、図２に示すように、素子基板３０は、有機ＥＬ素子４が配列されるとともに、シール材５により囲まれた表示領域Ｄを有する。この表示領域Ｄには、封止基板２０と対向する素子基板３０側の面において、有機ＥＬ素子４がマトリックス状に配置されて形成されている。
【００４８】
素子基板３０及び封止基板２０は、例えば、ガラス、またはプラスチック等の絶縁性材料により形成されている。
【００４９】
また、図２に示すように、有機ＥＬ素子４は、素子基板３０の表面上に設けられた第１電極６（陽極）と、第１電極６の表面上に設けられた有機層７と、有機層７の表面上に設けられた第２電極８（陰極）とを備えている。
【００５０】
第１電極６は、素子基板３０の表面上に所定の間隔でマトリクス状に複数形成されており、複数の第１電極６の各々が、有機ＥＬ表示装置１の各画素領域を構成している。なお、第１電極６は、例えば、Ａｕ、Ｎｉ、Ｐｔ、ＩＴＯ（インジウム−スズ酸化物）、またはＩＴＯとＡｇの積層膜等により形成されている。
【００５１】
有機層７は、マトリクス状に区画された各第１電極６の表面上に形成されている。この有機層７は、図３に示すように、正孔注入層９と、正孔注入層９の表面上に形成された正孔輸送層１０と、正孔輸送層１０の表面上に形成され、赤色光、緑色光、および青色光のいずれかを発する発光層１１と、発光層１１の表面上に形成された電子輸送層１２と、電子輸送層１２の表面上に形成された電子注入層１３とを備えている。そして、これらの正孔注入層９、正孔輸送層１０、発光層１１、電子輸送層１２、および電子注入層１３が順次積層されることにより、有機層７が構成されている。
【００５２】
正孔注入層９は、発光層１１への正孔注入効率を高めるためのものである。この正孔注入層９を形成する材料としては、例えば、ベンジン、スチリルアミン、トリフェニルアミン、ポルフィリン、トリアゾール、イミダゾール、オキサジアゾール、ポリアリールアルカン、フェニレンジアミン、アリールアミン、オキザゾール、アントラセン、フルオレノン、ヒドラゾン、スチルベン、トリフェニレン、アザトリフェニレン、あるいはこれらの誘導体、または、ポリシラン系化合物、ビニルカルバゾール系化合物、チオフェン系化合物あるいはアニリン系化合物等の複素環式共役系のモノマー、オリゴマーあるいはポリマーを挙げることができる。
【００５３】
正孔輸送層１０は、上述の正孔注入層９と同様に、発光層１１への正孔注入効率を高めるためのものであり、正孔輸送層１０を形成する材料としては、上述の正孔注入層９と同様のものが使用できる。
【００５４】
発光層１１は、第１電極６、及び第２電極８による電圧印加の際に、両電極の各々から正孔および電子が注入されるとともに、正孔と電子が再結合する領域である。この発光層１１は、発光効率が高い材料により形成され、例えば、低分子蛍光色素、蛍光性の高分子、金属錯体等の有機材料により形成されている。より具体的には、例えば、アントラセン、ナフタレン、インデン、フェナントレン、ピレン、ナフタセン、トリフェニレン、アントラセン、ペリレン、ピセン、フルオランテン、アセフェナントリレン、ペンタフェン、ペンタセン、コロネン、ブタジエン、クマリン、アクリジン、スチルベン、あるいはこれらの誘導体、トリス（８−キノリノラト）アルミニウム錯体、ビス（ベンゾキノリノラト）ベリリウム錯体、トリ（ジベンゾイルメチル）フェナントロリンユーロピウム錯体ジトルイルビニルビフェニルが挙げられる。
【００５５】
電子輸送層１２は、第２電極８から注入される電子を発光層１１に輸送するためのものである。この電子輸送層１２を形成する材料としては、例えば、キノリン、ペリレン、フェナントロリン、ビススチリル、ピラジン、トリアゾール、オキサゾール、オキサジアゾール、フルオレノン、またはこれらの誘導体や金属錯体が挙げられる。より具体的には、トリス（８−ヒドロキシキノリン）アルミニウム、アントラセン、ナフタレン、フェナントレン、ピレン、アントラセン、ペリレン、ブタジエン、クマリン、アクリジン、スチルベン、１，１０−フェナントロリン、またはこれらの誘導体や金属錯体が挙げられる。
【００５６】
電子注入層１３は、上述の電子輸送層１２と同様に、第２電極８から注入される電子を発光層１１に輸送するためのものであり、電子注入層１３を形成する材料としては、上述の電子輸送層１２と同様のものが使用できる。
【００５７】
第２電極８は、有機層７に電子を注入する機能を有するものである。この第２電極８は、例えば、マグネシウム合金（ＭｇＡｇ等）、アルミニウム合金（ＡｌＬｉ、ＡｌＣａ、ＡｌＭｇ等）、金属カルシウム、または仕事関数の小さい金属等により形成されている。
【００５８】
素子基板３０と封止基板２０とを接着するシール材５は、素子基板３０と封止基板２０とを固定するためのものである。このシール材５を形成する材料としては、例えば、アクリル樹脂、エポキシ樹脂等の紫外線硬化性樹脂や熱硬化性樹脂を使用する構成としている。
【００５９】
また、シール材５には、素子基板３０と封止基板２０との間隔（即ち、封止樹脂１４の厚みＴ）を規制するためのスペーサ１７（図２参照）が混入されている。このスペーサ１７は、例えば、ＳｉＯ２（酸化シリコン）により形成されている。
【００６０】
また、有機ＥＬ表示装置１は、図２に示すように、樹脂により形成された封止樹脂１４を備えている。この封止樹脂１４は、有機ＥＬ素子４を水分や酸素から保護するためのものである。封止樹脂１４を形成する樹脂としては、特に限定されず、例えば、紫外線硬化性樹脂、熱硬化性樹脂、二液型硬化性樹脂、水分硬化性樹脂、嫌気性硬化性樹脂、及びホットメルト型樹脂等を使用することができる。このうち、水分透過性及び酸素透過性を有する紫外線硬化型、熱硬化型、及び二液硬化型のエポキシ樹脂を使用することが好ましい。また、封止樹脂１４の製造工程数を減らして、封止樹脂１４を容易に形成するとの観点から、紫外線硬化性樹脂を使用することが好ましい。また、有機ＥＬ素子４の耐久性を十分に確保するとの観点から、封止樹脂１４の厚みＴは、１〜１００μｍであることが好ましい。
【００６１】
なお、本実施形態においては、図２に示すように、有機ＥＬ素子４と封止樹脂１４との接触を防止して、有機ＥＬ素子４を保護するための保護膜１５が、有機ＥＬ素子４の表面上に設けられている。この保護膜１５を形成する材料としては、例えば、ＳｉＯ２、ＳｉＯＮ等の無機材料が挙げられる。
【００６２】
ここで、本実施形態における有機ＥＬ表示装置１においては、封止樹脂１４が、封止基板２０上に形成されるとともに、素子基板３０と封止基板２０との間に設けられている点に特徴がある。
【００６３】
このような構成により、上記従来技術とは異なり、素子基板３０側に設けられた有機ＥＬ素子４の表面上に封止樹脂１４を塗布する必要がなくなるため、素子基板３０と封止基板２０との間での封止樹脂１４の厚みの制御が容易になる。
【００６４】
即ち、封止樹脂１４が、封止基板２０上に形成されるため、素子基板３０において、表示領域Ｄの表面とその周辺の領域の表面の凹凸の程度が異なる場合であっても、封止基板２０上に形成された封止樹脂１４の厚みを均一にすることが可能になる。また、封止樹脂１４の厚みが均一になるため、素子基板３０と封止基板２０とを貼り合わせた場合であっても、表示領域Ｄとその周辺の領域における素子基板３０と封止基板２０間の距離を均一にすることが可能になる。また、表示領域Ｄにおいて、一方の基板側に上記凹凸に起因する跳ね上がりが発生することを防止することができるため、局所的に素子基板３０と封止基板２０間の距離が大きくなるという不都合を回避することができる。従って、表示領域Ｄとその周辺領域において、基板間の距離が大きく異なることがなくなるため、表示ムラの発生を防止することができる。
【００６５】
また、封止基板２０上に封止樹脂１４を形成するため、素子基板３０側に設けられた有機ＥＬ素子４の表面上に封止樹脂１４を塗布する必要がなくなる。従って、表示領域Ｄにおける塗布打痕（即ち、封止樹脂１４の樹脂材料の塗布打痕）の発生を防止できる。
【００６６】
また、本実施形態の有機ＥＬ表示装置１においては、図１、図２に示すように、有機ＥＬ表示装置１の面方向Ｘにおいて、シール材５と封止樹脂１４とが離間して配置されている点に特徴がある。即ち、有機ＥＬ表示装置１の面方向Ｘにおいて、シール材５と樹脂材料１４ａ（即ち、封止樹脂１４）との間にスペース１６を形成する構成としている。
【００６７】
このような構成により、素子基板３０と封止基板２０を貼り合わせる際に、シール材５と封止樹脂１４との接触を回避することができるため、未硬化の封止樹脂１４とシール材５が物理的に混ざり合い、未硬化の封止樹脂１４によりシール材５が溶解する現象（相溶作用）の発生を防止することができる。
【００６８】
また、相溶作用を防止できるため、相溶作用に起因する未反応材料からのアウトガスの発生を防止することができる。
【００６９】
また、シール材５と封止樹脂１４とが離間して配置されているため、シール材５と封止樹脂１４との間にスペース１６が形成されることになる。従って、素子基板３０と封止基板２０を貼り合わせる際に、封止樹脂１４等の材料からアウトガスが発生した場合であっても、発生したアウトガスをスペース１６に向けて効率よく逃がすことが可能なる。
【００７０】
次に、本実施形態の有機ＥＬ表示装置の製造方法の一例について説明する。図４〜図１３は、本発明の実施形態に係る有機ＥＬ表示装置の製造方法を説明するための図である。
【００７１】
＜有機ＥＬ素子形成工程＞
まず、図４に示すように、基板サイズが３００×４００ｍｍで、厚さが０．７ｍｍのガラス基板等の素子基板３０上に、スパッタ法によりＩＴＯ膜をパターン形成して、第１電極６を形成する。このとき、第１電極６の膜厚は、例えば、１５０ｎｍ程度に形成する。
【００７２】
次に、第１電極６上に、発光層１１を含む有機層７、及び第２電極８を金属製のマスクを使用して、蒸着法により形成する。
【００７３】
より具体的には、まず、第１電極６を備えた素子基板３０を蒸着装置のチャンバー内に設置する。なお、蒸着装置のチャンバー内は、真空ポンプにより、１×１０−５〜１×１０−４（Ｐａ）の真空度に保たれている。また、第１電極６を備えた素子基板３０は、チャンバー内に取り付けられた１対の基板受けによって２辺を固定した状態で設置する。
【００７４】
そして、蒸着源から、正孔注入層９、正孔輸送層１０、発光層１１、電子輸送層１２、および電子注入層１３の各蒸着材料を順次蒸発させて、正孔注入層９、正孔輸送層１０、発光層１１、電子輸送層１２、および電子注入層１３を積層することにより、図５に示すように、画素領域であって第１電極６上にに有機層７を形成する。
【００７５】
そして、図６に示すように、有機層７上に、第２電極８を形成することにより、素子基板３０上に、第１電極６、有機層７、及び第２電極８を備えた有機ＥＬ素子４を形成する。
【００７６】
なお、蒸発源としては、例えば、各蒸発材料が仕込まれた坩堝を使用することができる。坩堝は、チャンバー内の下部に設置されるとともに、坩堝にはヒーターが備え付けられており、このヒーターにより、坩堝は加熱される。そして、ヒーターによる加熱により、坩堝の内部温度が各種蒸着材料の蒸発温度に到達することで、坩堝内に仕込まれた各種蒸着材料が蒸発分子となってチャンバー内の上方向へ飛び出す。
【００７７】
また、有機層７、及び第２電極８の形成方法の具体例としては、まず、素子基板３０上にパターニングされた第１電極６上に、ＲＧＢ全ての画素に共通して、ｍ−ＭＴＤＡＴＡ（4,4,4-tris(3-methylphenylphenylamino)triphenylamine）からなる正孔注入層９を、マスクを介して、例えば、２５ｎｍの膜厚で形成する。続いて、正孔注入層９上に、ＲＧＢ全ての画素に共通して、α−ＮＰＤ（4,4-bis(N-1-naphthyl-N-phenylamino)biphenyl）からなる正孔輸送層１０を、マスクを介して、例えば、３０ｎｍの膜厚で形成する。次に、赤色の発光層１１として、ジ(2-ナフチル)アントラセン（ＡＤＮ）に2,6-ビス（(4’-メトキシジフェニルアミノ)スチリル）-1,5-ジシアノナフタレン（ＢＳＮ）を３０重量％混合したものを、マスクを介して、画素領域に形成された正孔輸送層１０上に、例えば、３０ｎｍの膜厚で形成する。次いで、緑色の発光層１１として、ＡＤＮにクマリン６を５重量％混合したものを、マスクを介して、画素領域に形成された正孔輸送層１０上に、例えば、３０ｎｍの膜厚で形成する。次に、青色の発光層１１として、ＡＮＤに4,4’-ビス（2-{4-(N,N-ジフェニルアミノ)フェニル}ビニル）ビフェニル(ＤＰＡＶＢｉ)を２．５重量％混合したものを、マスクを介して、画素領域に形成された正孔輸送層１０上に、例えば、３０ｎｍの膜厚で形成する。次いで、各発光層１１上に、ＲＧＢ全ての画素に共通して、8-ヒドロキシキノリンアルミニウム(Ａｌｑ３)を電子輸送層１２として、マスクを介して、例えば、２０ｎｍの膜厚で形成する。次いで、電子輸送層１２上に、フッ化リチウム(ＬｉＦ)を電子注入層１３として、マスクを介して、例えば、０．３ｎｍの膜厚で形成する。そして、第２電極８として、マグネシウム銀(ＭｇＡｇ)からなる陰極を、例えば、１０ｎｍの膜厚で形成する。
【００７８】
次いで、図７に示すように、形成された有機ＥＬ素子４の表面上に、当該有機ＥＬ素子４を保護するための保護膜１５を形成する。この保護膜１５は、例えば、ＳｉＯ２、ＳｉＯＮ等の無機材料を、蒸着法、スパッタ法、化学気相成長法等により、有機ＥＬ素子４の表面上に積層することにより形成することができる。
【００７９】
＜シール材形成工程＞
まず、図８、図１０に示すように、基板サイズが７３０ｍｍ×９２０ｍｍで、厚さが０．７ｍｍのガラス基板等の封止基板２０上に、上述したエポキシ樹脂等の材料を、ディスペンサやマスク印刷法、フレキソ印刷法等により塗布して、シール材５を枠状に形成する。
【００８０】
＜樹脂材料塗布工程（滴下注入工程）＞
次いで、封止基板２０に形成されたシール材５の内側に、封止樹脂１４を形成するための樹脂材料を、ディスペンサやマスク印刷法、滴下注入法等により、シール材５から離間させて塗布する。ここで、本実施形態においては、上述のごとく、シール材５と封止樹脂１４とを離間して配置するため、封止樹脂１４を形成する樹脂材料を塗布する際に、封止基板２０上に形成されたシール材５と樹脂材料との接触を容易に回避するとの観点から、シール材５の内側に、樹脂材料を滴下して注入することにより塗布することが好ましい。
【００８１】
この場合、図９、図１０に示すように、封止基板２０に形成されたシール材５の内側に、封止樹脂１４を形成するための樹脂材料１４ａを滴下して注入することにより塗布する。なお、樹脂材料１４ａとしては、例えば、アクリル樹脂、エポキシ樹脂等の紫外線硬化性樹脂や、エポキシ樹脂等の二液硬化型性樹脂が使用される。
【００８２】
また、樹脂材料１４ａの滴下は、例えば、樹脂材料１４ａを滴下する機能を有した滴下装置が基板面全体に亘って移動しながら樹脂材料１４ａを滴下することにより行われ、シール材５との接触を確実に回避するとの観点から、シール材５の近傍から滴下しないようにする。
【００８３】
また、シール材５と封止樹脂１４との接触を回避して、シール材５と封止樹脂１４とを確実に離間して配置するとの観点から、樹脂材料１４ａの粘度を調整して滴下することが好ましい。より具体的には、例えば、滴下する樹脂材料１４ａの粘度を上げて、滴下した樹脂材料１４ａがシール材５の内側における封止基板２０の表面上を拡散しないようにする。また、滴下する樹脂材料１４ａの粘度を下げて、樹脂材料１４ａをシール材５の内側における封止基板２０の中央部付近に集中させて滴下する。
【００８４】
例えば、有機ＥＬ表示装置１の面方向Ｘにおけるシール材５と封止樹脂１４との距離Ｅを０．１ｍｍ以上に設定する場合は、１０〜２０Ｐａ・ｓの樹脂材料１４ａを使用する。このように粘度を設定すれば、樹脂材料１４ａを硬化させるまでの処理時間（例えば、２時間）において、封止基板２０の平面上に滴下された樹脂材料１４ａが流動する距離を考慮した場合であっても、シール材５と封止樹脂１４との接触を回避して、シール材５と封止樹脂１４とを確実に離間して配置することが可能になる。
【００８５】
＜貼合体形成工程＞
次いで、真空雰囲気で、シール材５が形成された封止基板２０と、有機ＥＬ素子４が形成された素子基板３０とを、有機ＥＬ素子４と樹脂材料１４ａが重なり合うように、素子基板３０上に封止基板２０を重ね合わせて、図１１に示すように、素子基板３０上に、封止基板２０に形成されたシール材５の表面５ａを載置させる。
【００８６】
次いで、図１２に示すように、真空雰囲気で、所定の条件下（例えば、１００Ｐａ以下の圧力）において、シール材５の内側における真空気密状態を保持した状態で、窒素リークを行うとともに、大気圧までパージを行って差圧で加圧処理を行うことにより、シール材５を介して、素子基板３０と封止基板２０とを貼り合わせ、素子基板３０と封止基板２０とが貼り合わされた貼合体を形成する。なお、素子基板３０と封止基板２０を貼り合わせる際に、加圧により、滴下注入された樹脂材料１４ａが、シール材５の内側において、均一に拡散するとともに、図１２に示すように、有機ＥＬ表示装置１の面方向Ｘにおいて、シール材５と樹脂材料１４ａとの間にスペース１６が形成される。
【００８７】
＜樹脂硬化工程＞
次いで、図１３に示すように、封止基板２０側から紫外線（図１３における矢印）を照射して、均一に拡散した樹脂材料１４ａを硬化させて、封止基板２０上に封止樹脂１４を形成するとともに、シール材５を形成する樹脂を硬化させる。この際、有機ＥＬ表示装置１の面方向Ｘにおいて、シール材５と封止樹脂１４とが離間して配置されることになる。
【００８８】
なお、照射する紫外線は、０．５〜１０Ｊが好ましく、１〜６Ｊがより好ましい。また、紫外線照射後、樹脂の硬化を促進させるために、大気中にて加熱処理（７０℃以上１２０℃以下、１０分以上２時間以下）を行う。また、この加熱処理によりシール材５及び封止樹脂１４が熱収縮され、シール材５と樹脂材料１４ａとの間にスペース１６が確実に形成されるとともに、シール材５と封止樹脂１４とが確実に離間して配置されることになる。
【００８９】
また、封止樹脂１４の厚みをＴ、有機ＥＬ表示装置１の面方向Ｘにおけるシール材５と封止樹脂１４との距離をＥ、シール材の幅をＬとした場合、０．５Ｌ＋０．１Ｔ≦Ｅ≦５０Ｔの関係が成立するように、シール材５と封止樹脂１４とを離間させて配置することが好ましい。これは、０．５Ｌ＋０．１Ｔ＞Ｅの場合は、シール材５と封止樹脂１４との間に形成されるスペース１６が小さくなるため、素子基板３０と封止基板２０を貼り合わせる際に、上述の相溶作用の発生を防止することが困難になるとともに、封止樹脂１４等の材料から発生するアウトガスをスペース１６へ効率よく逃がすことが困難になる場合があるためである。また、５０Ｔ＜Ｅの場合は、シール材５と封止樹脂１４との間に形成されるスペース１６が大きくなるため、有機ＥＬ表示装置の小型化が困難になる場合があるためである。
【００９０】
従って、例えば、シール材５の幅Ｌを１０００μｍ、封止樹脂１４の厚みＴを２０μｍに設定する場合、有機ＥＬ表示装置１の面方向Ｘにおいて、シール材５と封止樹脂１４との距離Ｅを５０２μｍ以上１０００μｍ以下に設定することが好ましい。
【００９１】
以上に説明した本実施形態によれば、以下の効果を得ることができる。
【００９２】
（１）本実施形態においては、封止樹脂１４を封止基板２０上に形成する構成としている。従って、上記従来技術とは異なり、素子基板３０の表面上に封止樹脂１４を塗布する必要がなくなるため、素子基板３０と封止基板２０との間での封止樹脂１４の厚みの制御が容易になる。その結果、有機ＥＬ表示装置１の表示性能の低下を防止することが可能になる。
【００９３】
（２）また、封止基板２０上に封止樹脂１４を形成するため、素子基板３０側に設けられた有機ＥＬ素子４の表面上に封止樹脂１４を塗布する必要がなくなる。従って、表示領域Ｄにおける塗布打痕の発生を防止でき、当該塗布打痕に起因する有機ＥＬ表示装置１の表示品質の低下を防止できる。
【００９４】
（３）また、有機ＥＬ表示装置１の面方向Ｘにおいて、シール材５と封止樹脂１４とを離間して配置する構成としている。従って、素子基板３０と封止基板２０を貼り合わせる際に、シール材５と封止樹脂１４との接触を回避することができるため、未硬化の封止樹脂１４とシール材５が物理的に混ざり合い、未硬化の封止樹脂１４によりシール材５が溶解する現象（相溶作用）の発生を防止することができる。また、相溶作用を防止できるため、相溶作用に起因する未反応材料からのアウトガスの発生を防止することができる。
【００９５】
（４）また、有機ＥＬ表示装置１の面方向Ｘにおいて、シール材５と封止樹脂１４とを離間して配置する構成としている。従って、素子基板３０と封止基板２０を貼り合わせる際に、シール材５と封止樹脂１４との接触を回避することができるため、封止樹脂１４がシール材５上に乗りかかることを防止することができ、素子基板３０とシール材５との間に封止樹脂１４が挟まることを防止できる。その結果、封止基板２０と素子基板３０との密着性の低下を防止できるため、外部からの水分や酸素の流入を防止して、有機ＥＬ素子４の損傷を回避でき、有機ＥＬ表示装置１の表示品質の低下を防止できる。
【００９６】
（５）また、シール材５と封止樹脂１４とが離間して配置されているため、シール材５と封止樹脂１４との間にスペース１６が形成されることになる。従って、素子基板３０と封止基板２０を貼り合わせる際に、封止樹脂１４等の材料からアウトガスが発生した場合であっても、発生したアウトガスをスペース１６に向けて効率よく逃がすことが可能なる。その結果、アウトガスにより、有機ＥＬ表示装置１の内部の圧力が過度に上昇して、封止樹脂１４とシール材５との界面において損傷が生じるという不都合を防止することができる。
【００９７】
（６）本実施形態においては、封止樹脂１４の厚みＴと、シール材５と封止樹脂１４との距離Ｅと、シール材の幅Ｌとの間に０．５Ｌ＋０．１Ｔ≦Ｅ≦５０Ｔの関係が成立する構成としている。従って、有機ＥＬ表示装置１の大型化という不都合を生じることなく、相溶作用の発生を防止して、アウトガスによる有機ＥＬ表示装置１の内部の圧力の上昇を防止することができる。
【００９８】
（７）本実施形態においては、封止樹脂１４の厚みを１μｍ以上１００μｍ以下に設定する構成としている。従って、有機ＥＬ素子４の耐久性を十分に確保することができる。
【００９９】
（８）本実施形態においては、封止樹脂１４を紫外線硬化性樹脂により形成する構成としている。従って、封止樹脂１４の製造工程数を減らして、封止樹脂１４を容易に形成することができる。
【０１００】
（９）本実施形態においては、封止樹脂１４をアクリル樹脂またはエポキシ樹脂により形成する構成としている。従って、安価かつ汎用性にある樹脂材料により封止樹脂１４を形成することができる。
【０１０１】
なお、上記実施形態は以下のように変更しても良い。
【０１０２】
また、図１４示すように、有機ＥＬ表示装置７０において、有機ＥＬ素子４の表面（即ち、有機ＥＬ素子４の第２電極８の表面）上に、可視光透過性を有するとともに紫外線遮光性を有する遮光部材３５を設ける構成としても良い。このような構成により、上述の樹脂硬化工程において、封止基板２０側から紫外線を照射して封止樹脂１４及びシール材５を形成する際に、有機ＥＬ素子４への紫外線の進入を確実に防止することが可能になる。その結果、紫外線照射による有機ＥＬ素子４の劣化（即ち、有機層７を構成する各種機能層が化学的に変化して、本来の機能を発揮できない状態になること）を防止することが可能になる。また、遮光部材３５は可視光透過性を有するため、有機ＥＬ素子４からの発光を封止基板２０側から取り出すことが可能になる。従って、有機ＥＬ表示装置１を、素子基板３０側から光を取り出すボトムエミッション型、封止基板２０側から光を取り出すトップエミッション型、及び素子基板３０側と封止基板２０側から光を取り出す両面発光型のいずれの発光タイプにも適用することが可能になる。
【０１０３】
また、遮光部材３５は、特に限定されるものではなく、例えば、紫外線吸収性を有する材料よりなるフィルム、紫外線吸収剤を含有するコーティング剤がコートされてなるフィルム等を用いることができる。また、第２電極８の表面に、直接、紫外線吸収剤を含有するコーティング剤よりなるコーティング膜を形成し、これを遮光部材３５とすることもできる。また、第２電極８の表面に、直接、紫外線吸収剤を蒸着法等によって蒸着し、得られた蒸着膜を遮光部材３５とすることもできる。
【０１０４】
紫外線吸収性を有するフィルムを形成する材料としては、例えば、樹脂バインダーと、これに含有された紫外線吸収剤からなるものが挙げられる。また、紫外線吸収剤としては、例えば、酸化亜鉛、酸化チタン等からなる超微粒子等の無機系の紫外線吸収剤、あるいはベンゾトリアゾール系、トリアジン系、ベンゾフェノン系等の有機系の紫外線吸収剤等を用いることができる。
【０１０５】
また、紫外線吸収剤を含有するコーティング剤としては、例えば、アクリルエマルジョン、あるいは低分子量の熱硬化型のウレタンアクリレートおよび触媒等からなるコーティング液と、紫外線吸収剤とを湿式分散混合法によって混合したものを用いることができる。
【０１０６】
なお、遮光部材３５においては、紫外線遮光率が９０％以上であることが好ましく、９５％以上であることが一層好ましく、９８％以上であることがより一層好ましい。これは、紫外線遮光率が９０％未満である場合には、遮光部材３５に十分な紫外線遮光機能を付与することが困難になり、有機層７を構成する各種機能層の機能が低下する場合ががあるためである。
【０１０７】
また、この遮光部材３５は、上述の有機ＥＬ素子形成工程において、第２電極８を形成した後、例えば、真空蒸着法により第２電極８上にベンゾトリアゾール系誘導体層を設けることにより形成することができる。なお、蒸着レートとしては、０．５Å／ｓとすることができ、膜厚は紫外線遮光率が９５％以上になるように調整する。
【産業上の利用可能性】
【０１０８】
以上説明したように、本発明は、有機ＥＬ素子を備えた有機ＥＬ表示装置およびその製造方法に適している。
【符号の説明】
【０１０９】
１    有機ＥＬ表示装置
４    有機ＥＬ素子
５    シール材
６    第１電極
７    有機層
８    第２電極
１４    封止樹脂
１５    保護膜
１７    スペーサ
２０    封止基板（第２基板）
３０    素子基板（第１基板）
３５    遮光部材
７０    有機ＥＬ表示装置
Ｅ    シール材と封止樹脂の距離
Ｔ    封止樹脂の厚み
Ｘ    有機ＥＬ表示装置の面方向
【図１】
2011001573.tif 000003
【図２】
2011001573.tif 000004
【図３】
2011001573.tif 000005
【図４】
2011001573.tif 000006
【図５】
2011001573.tif 000007
【図６】
2011001573.tif 000008
【図７】
2011001573.tif 000009
【図８】
2011001573.tif 000010
【図９】
2011001573.tif 000011
【図１０】
2011001573.tif 000012
【図１１】
2011001573.tif 000013
【図１２】
2011001573.tif 000014
【図１３】
2011001573.tif 000015
【図１４】
2011001573.tif 000016
【手続補正書】
【提出日】平成23年11月15日(2011.11.15)
【手続補正１】
【補正対象書類名】明細書
【補正対象項目名】全文
【補正方法】変更
【補正の内容】
【発明の詳細な説明】
【技術分野】
【０００１】
本発明は、有機電界発光素子（有機エレクトロルミネッセンス素子：以下、「有機ＥＬ素子」と記載する）を備えた有機ＥＬ表示装置およびその製造方法に関する。
【背景技術】
【０００２】
近年、フルカラーディスプレイ等の次世代フラットパネル表示装置として有機ＥＬ表示装置が注目されている。この有機ＥＬ表示装置は、自己発光型の表示装置であり、視野角特性に優れ、視認性が高く、低消費電力であり、かつ薄型化が可能であるため、需要が高まってきている。
【０００３】
この有機ＥＬ表示装置は、所定の配列で配列された複数の有機ＥＬ素子を有し、複数の有機ＥＬ素子の各々は、絶縁性の基板上に形成された第１電極（陽極）と、第１電極上に形成された発光層を有する有機層と、有機層上に形成された第２電極（陰極）とを備えている。
【０００４】
ここで、有機ＥＬ素子は、一般に、一定期間駆動すると、発光輝度や発光の均一性等の発光特性が初期の場合に比し著しく低下してしまう。このような発光特性の劣化の原因としては、有機ＥＬ素子の内部に進入した外気からの水分に起因する有機層の劣化や、外気中の酸素に起因する電極の酸化、これらの水分や酸素に起因する有機層と電極との間の剥離等が挙げられる。
【０００５】
そこで、これらの水分や酸素を除去するための構造を備えた有機ＥＬ表示装置が提案されている。より具体的には、例えば、有機層が対向する一対の電極間に狭持された有機ＥＬ素子と、有機ＥＬ素子を収納して外気を遮断する気密性容器と、気密性容器内に、有機ＥＬ素子から隔離して配置され、化学的に水分を吸着する乾燥手段とを備えた有機ＥＬ表示装置が開示されている（例えば、特許文献１参照）。
【０００６】
また、例えば、第１電極と、第１電極上に形成された有機層と、有機層を第１電極と挟むように有機層上に形成された第２電極と、有機層を密封するように形成された密封部材とを備え、密封部材により密封された空間内のいずれかの位置に、アルカリ金属もしくはアルカリ土類金属を有する脱酸素脱水部が形成されている有機ＥＬ表示装置が開示されている（例えば、特許文献２参照）。
【０００７】
しかし、上記特許文献１に記載の有機ＥＬ表示装置では、気密性容器内の水分を除去することはできるものの、有機層の内部の水分を除去することはできないという問題があった。また、上記特許文献２に記載の有機ＥＬ表示装置においては、脱酸素脱水部を形成するアルカリ金属またはアルカリ土類金属が、水分や酸素に対して非常に反応性が高いため不安定であり、安定した耐久性が得られないという問題があった。
【０００８】
そこで、有機ＥＬ素子を水分や酸素から保護するための封止樹脂が設けられた有機ＥＬ表示装置が提案されている。より具体的には、素子基板に形成された有機ＥＬ素子の発光領域を封止するための封止樹脂と、封止基板上に設けられ、発光領域と電極領域とを遮るように形成された防護壁として作用するシール材とを備えた有機ＥＬ表示装置が開示されている。そして、このような構成により、発光領域において、有機ＥＬ素子を水分や酸素から保護するための封止樹脂を塗布により形成した場合であっても、シール材により、未硬化の封止樹脂が電極領域側へ拡散することを防止できると記載されている（例えば、特許文献３参照）。
【先行技術文献】
【特許文献】
【０００９】
【特許文献１】特開平９−１４８０６６号公報
【特許文献２】特開２００２−８８５２号公報
【特許文献３】特許第３７０５１９０号公報
【発明の概要】
【発明が解決しようとする課題】
【００１０】
しかし、上記特許文献３に記載の有機ＥＬ表示素子では、素子基板側に設けられた有機ＥＬ素子の表面上に封止樹脂を塗布する構成としているため、素子基板と封止基板の間での封止樹脂の厚みの制御が困難になり、表示性能が低下するという問題があった。
【００１１】
より具体的には、素子基板においては、表示領域とその周辺の領域では、その表面の凹凸の程度が異なるため、素子基板上に形成された封止樹脂の厚みが均一にならない。また、この様な封止樹脂の高さが均一にならない状態で、素子基板と封止基板を貼り合わせた場合、表示領域とその周辺の領域における基板間の距離が大きく異なることになる。更に、表示領域において、一方の基板側に上記凹凸に起因する跳ね上がりが発生し、局所的に基板間の距離が大きくなる場合がある。その結果、表示領域とその周辺領域において、基板間の距離が大きく異なることになるため、表示ムラが発生し、当該表示ムラの発生により表示性能が低下するという問題があった。
【００１２】
また、有機ＥＬ素子の表面上に封止樹脂を塗布すると、表示領域において塗布打痕が生じてしまい、有機ＥＬ表示装置の表示品質が低下するという問題があった。
【００１３】
また、素子基板と封止基板を貼り合わせる際に、シール材と封止樹脂が接触するため、シール材と封止樹脂との接触領域において、未硬化の封止樹脂とシール材が物理的に混ざり合い、未硬化の封止樹脂によりシール材が溶解する現象（相溶作用）が生じるとともに、当該相溶作用に起因してアウトガスが発生するという不都合が生じていた。
【００１４】
更に、素子基板と封止基板を貼り合わせる際に、封止樹脂等の材料から発生するアウトガスにより、有機ＥＬ表示装置の内部の圧力が過度に上昇して、封止樹脂とシール材との界面において損傷が生じるという不都合があった。
【００１５】
そこで、本発明は、上述の問題に鑑みてなされたものであり、表示性能の低下を防止することができるとともに、封止樹脂とシール材との混合に起因する相溶作用を防止でき、アウトガスの発生による損傷を防止することができる有機ＥＬ表示装置及びその製造方法を提供することを目的とする。
【課題を解決するための手段】
【００１６】
上記目的を達成するために、本発明の有機ＥＬ表示装置は、第１基板と、第１基板に対向して設けられた第２基板と、第１基板上に形成されるとともに、第１基板と第２基板との間に設けられた有機ＥＬ素子と、第１基板と第２基板との間に設けられ、有機ＥＬ素子を封止するように第１基板と第２基板とを貼り合わせるシール材と、第２基板上に形成されるとともに、第１基板と第２基板との間に設けられ、有機ＥＬ素子の表面を覆う封止樹脂とを備え、有機ＥＬ表示装置の面方向において、シール材と封止樹脂とが離間して配置されており、封止樹脂の厚みをＴ、面方向におけるシール材と封止樹脂との距離をＥ、シール材の幅をＬとした場合、０．５Ｌ＋０．１Ｔ≦Ｅ≦５０Ｔの関係が成立することを特徴とする。
【００１７】
同構成によれば、封止樹脂を第２基板上に形成する構成としている。従って、上記従来技術とは異なり、有機ＥＬ素子が形成された第１基板の表面上に封止樹脂を塗布する必要がなくなるため、第１基板と第２基板との間での封止樹脂の厚みの制御が容易になる。その結果、有機ＥＬ表示装置の表示性能の低下を防止することが可能になる。
【００１８】
また、第２基板上に封止樹脂を形成するため、第１基板側に設けられた有機ＥＬ素子の表面上に封止樹脂を塗布する必要がなくなる。従って、表示領域における塗布打痕の発生を防止でき、塗布打痕に起因する有機ＥＬ表示装置の表示品質の低下を防止できる。
【００１９】
また、有機ＥＬ表示装置の面方向において、シール材と封止樹脂とを離間して配置する構成としている。従って、第１基板と第２基板を貼り合わせる際に、シール材と封止樹脂との接触を回避することができる。その結果、未硬化の封止樹脂とシール材が物理的に混ざり合い、未硬化の封止樹脂によりシール材が溶解する現象（相溶作用）の発生を防止することができる。また、相溶作用を防止できるため、相溶作用に起因する未反応材料からのアウトガスの発生を防止することができる。
【００２０】
更に、シール材と封止樹脂とが離間して配置されているため、シール材と封止樹脂との間にスペース（空間）が形成されることになる。従って、第１基板と第２基板を貼り合わせる際に、封止樹脂等の材料からアウトガスが発生した場合であっても、発生したアウトガスをスペースに向けて効率よく逃がすことが可能なる。その結果、アウトガスにより、有機ＥＬ表示装置の内部の圧力が過度に上昇して、封止樹脂とシール材との界面において損傷が生じるという不都合を防止することができる。
【００２１】
また、本発明の有機ＥＬ表示装置においては、封止樹脂の厚みをＴ、面方向におけるシール材と封止樹脂との距離をＥ、シール材の幅をＬとした場合、０．５Ｌ＋０．１Ｔ≦Ｅ≦５０Ｔの関係が成立する構成としているため、有機ＥＬ表示装置の大型化という不都合を生じることなく、相溶作用の発生を防止して、アウトガスによる有機ＥＬ表示装置の内部の圧力の上昇を防止することができる。
【００２２】
また、本発明の有機ＥＬ表示装置においては、封止樹脂の厚みが１μｍ以上１００μｍ以下であっても良い。
【００２３】
同構成によれば、有機ＥＬ素子の耐久性を十分に確保することができる。
【００２４】
また、本発明の有機ＥＬ表示装置においては、封止樹脂が、紫外線硬化性樹脂により形成されていても良い。
【００２５】
同構成によれば、封止樹脂の製造工程数を減らして、封止樹脂を容易に形成することができる。
【００２６】
また、本発明の有機ＥＬ表示装置においては、封止樹脂が、アクリル樹脂またはエポキシ樹脂により形成されていても良い。
【００２７】
同構成によれば、安価かつ汎用性にある樹脂材料により封止樹脂を形成することができる。
【００２８】
また、本発明の有機ＥＬ表示装置においては、有機ＥＬ素子の表面上に、可視光透過性を有するとともに紫外線遮光性を有する遮光部材が設けられていても良い。
【００２９】
同構成によれば、例えば、紫外線照射による硬化により、封止樹脂及びシール材を形成する際に、有機ＥＬ素子への紫外線の進入を確実に防止することが可能になる。その結果、紫外線照射による有機ＥＬ素子の劣化を防止することが可能になる。また、遮光部材は可視光透過性を有するため、有機ＥＬ表示装置を、第１基板側から光を取り出すボトムエミッション型、第２基板側から光を取り出すトップエミッション型、及び第１基板側と第２基板側から光を取り出す両面発光型ののいずれの発光タイプにも適用することが可能になる。
【００３０】
本発明の有機ＥＬ表示装置の製造方法は、第１基板上に有機ＥＬ素子を形成する有機ＥＬ素子形成工程と、第２基板上に、シール材を枠状に形成するシール材形成工程と、第２基板に形成されたシール材の内側に、封止樹脂を形成するための樹脂材料をシール材から離間させて塗布する樹脂材料塗布工程と、真空雰囲気で、シール材を介して、第１基板と第２基板とを貼り合わせるとともに、シール材の内側において、樹脂材料を均一に拡散させる貼合体形成工程と、樹脂材料を硬化させて封止樹脂を第２基板上に形成するとともに、シール材を形成する樹脂を硬化させ、有機ＥＬ表示装置の面方向において、シール材と封止樹脂とを離間して配置する樹脂硬化工程とを少なくとも備えることを特徴とする。
【００３１】
同構成によれば、封止樹脂を第２基板上に形成する構成としている。従って、上記従来技術とは異なり、有機ＥＬ素子が形成された第１基板の表面上に封止樹脂を塗布する必要がなくなるため、第１基板と第２基板との間での封止樹脂の厚みの制御が容易になる。その結果、有機ＥＬ表示装置の表示性能の低下を防止することが可能になる。
【００３２】
また、第２基板上に封止樹脂を形成するため、第１基板側に設けられた有機ＥＬ素子の表面上に封止樹脂を塗布する必要がなくなる。従って、表示領域における塗布打痕の発生を防止でき、塗布打痕に起因する有機ＥＬ表示装置の表示品質の低下を防止できる。
【００３３】
また、有機ＥＬ表示装置の面方向において、シール材と封止樹脂とを離間して配置する構成としている。従って、第１基板と第２基板を貼り合わせる際に、シール材と封止樹脂との接触を回避することができる。その結果、未硬化の封止樹脂とシール材が物理的に混ざり合い、未硬化の封止樹脂によりシール材が溶解する現象（相溶作用）の発生を防止することができる。また、相溶作用を防止できるため、相溶作用に起因する未反応材料からのアウトガスの発生を防止することができる。
【００３４】
更に、シール材と封止樹脂とが離間して配置されているため、シール材と封止樹脂との間にスペース（空間）が形成されることになる。従って、第１基板と第２基板を貼り合わせる際に、封止樹脂等の材料からアウトガスが発生した場合であっても、発生したアウトガスをスペースに向けて効率よく逃がすことが可能なる。その結果、アウトガスにより、有機ＥＬ表示装置の内部の圧力が過度に上昇して、封止樹脂とシール材との界面において損傷が生じるという不都合を防止することができる。
【００３５】
また、本発明の有機ＥＬ表示装置の製造方法においては、樹脂硬化工程において、封止樹脂の厚みをＴ、面方向におけるシール材と封止樹脂との距離をＥ、シール材の幅をＬとした場合、０．５Ｌ＋０．１Ｔ≦Ｅ≦５０Ｔの関係が成立するように、シール材と封止樹脂とを離間して配置する構成としても良い。
【００３６】
同構成によれば、有機ＥＬ表示装置の大型化という不都合を生じることなく、相溶作用の発生を防止して、アウトガスによる有機ＥＬ表示装置の内部の圧力の上昇を防止することができる。
【００３７】
また、本発明の有機ＥＬ表示装置の製造方法においては、樹脂材料塗布工程において、シール材の内側に、樹脂材料を滴下して注入する構成としても良い。
【００３８】
同構成によれば、封止樹脂を形成する樹脂材料を塗布する際に、封止基板上に形成されたシール材と樹脂材料との接触を容易に回避することができる。
【００３９】
また、本発明の有機ＥＬ表示装置の製造方法においては、樹脂硬化工程において、加熱処理を行う構成としても良い。
【００４０】
同構成によれば、シール材及び封止樹脂を熱収縮させることができるため、シール材と樹脂材料との間にスペースが確実に形成されるとともに、シール材と封止樹脂とを確実に離間して配置することができる。
【発明の効果】
【００４１】
本発明によれば、封止樹脂とシール材を備える有機ＥＬ表示装置において、表示性能の低下を防止することができるとともに、封止樹脂とシール材との混合に起因する相溶作用を防止できる。また、アウトガスの発生による損傷を防止することができる。
【図面の簡単な説明】
【００４２】
【図１】本発明の実施形態に係る有機ＥＬ表示装置の平面図である。
【図２】図１のＡ−Ａ断面図である。
【図３】本発明の実施形態に係る有機ＥＬ表示装置が備える有機ＥＬ素子を構成する有機層を説明するための断面図である。
【図４】本発明の実施形態に係る有機ＥＬ表示装置の製造方法を説明するための図である。
【図５】本発明の実施形態に係る有機ＥＬ表示装置の製造方法を説明するための図である。
【図６】本発明の実施形態に係る有機ＥＬ表示装置の製造方法を説明するための図である。
【図７】本発明の実施形態に係る有機ＥＬ表示装置の製造方法を説明するための図である。
【図８】本発明の実施形態に係る有機ＥＬ表示装置の製造方法を説明するための図である。
【図９】本発明の実施形態に係る有機ＥＬ表示装置の製造方法を説明するための図である。
【図１０】本発明の実施形態に係る有機ＥＬ表示装置の製造方法を説明するための図である。
【図１１】本発明の実施形態に係る有機ＥＬ表示装置の製造方法を説明するための図である。
【図１２】本発明の実施形態に係る有機ＥＬ表示装置の製造方法を説明するための図である。
【図１３】本発明の実施形態に係る有機ＥＬ表示装置の製造方法を説明するための図である。
【図１４】本発明の有機ＥＬ表示装置の変形例を説明するための断面図である。
【発明を実施するための形態】
【００４３】
以下、本発明の実施形態を図面に基づいて詳細に説明する。尚、本発明は、以下の実施形態に限定されるものではない。
【００４４】
図１は、本発明の実施形態に係る有機ＥＬ表示装置の平面図であり、図２は、図１のＡ−Ａ断面図である。また、図３は、本発明の実施形態に係る有機ＥＬ表示装置が備える有機ＥＬ素子を構成する有機層を説明するための断面図である。
【００４５】
図１、図２に示す様に、有機ＥＬ表示装置１は、第１基板である素子基板３０と、素子基板３０に対向する第２基板である封止基板２０と、素子基板３０上に形成されるとともに、素子基板３０及び封止基板２０の間に設けられた有機ＥＬ素子４とを備えている。また、有機ＥＬ表示装置１は、素子基板３０と封止基板２０との間に設けられ、有機ＥＬ素子４を封止するように素子基板３０と封止基板２０とを貼り合わせるシール材５を備えている。このシール材５は、有機ＥＬ素子４を周回するように枠状に形成されており、素子基板３０と封止基板２０は、このシール材５を介して相互に貼り合わされている。
【００４６】
また、図１、図２に示すように、素子基板３０は、有機ＥＬ素子４が配列されるとともに、シール材５により囲まれた表示領域Ｄを有する。この表示領域Ｄには、封止基板２０と対向する素子基板３０側の面において、有機ＥＬ素子４がマトリックス状に配置されて形成されている。
【００４７】
素子基板３０及び封止基板２０は、例えば、ガラス、またはプラスチック等の絶縁性材料により形成されている。
【００４８】
また、図２に示すように、有機ＥＬ素子４は、素子基板３０の表面上に設けられた第１電極６（陽極）と、第１電極６の表面上に設けられた有機層７と、有機層７の表面上に設けられた第２電極８（陰極）とを備えている。
【００４９】
第１電極６は、素子基板３０の表面上に所定の間隔でマトリクス状に複数形成されており、複数の第１電極６の各々が、有機ＥＬ表示装置１の各画素領域を構成している。なお、第１電極６は、例えば、Ａｕ、Ｎｉ、Ｐｔ、ＩＴＯ（インジウム−スズ酸化物）、またはＩＴＯとＡｇの積層膜等により形成されている。
【００５０】
有機層７は、マトリクス状に区画された各第１電極６の表面上に形成されている。この有機層７は、図３に示すように、正孔注入層９と、正孔注入層９の表面上に形成された正孔輸送層１０と、正孔輸送層１０の表面上に形成され、赤色光、緑色光、および青色光のいずれかを発する発光層１１と、発光層１１の表面上に形成された電子輸送層１２と、電子輸送層１２の表面上に形成された電子注入層１３とを備えている。そして、これらの正孔注入層９、正孔輸送層１０、発光層１１、電子輸送層１２、および電子注入層１３が順次積層されることにより、有機層７が構成されている。
【００５１】
正孔注入層９は、発光層１１への正孔注入効率を高めるためのものである。この正孔注入層９を形成する材料としては、例えば、ベンジン、スチリルアミン、トリフェニルアミン、ポルフィリン、トリアゾール、イミダゾール、オキサジアゾール、ポリアリールアルカン、フェニレンジアミン、アリールアミン、オキザゾール、アントラセン、フルオレノン、ヒドラゾン、スチルベン、トリフェニレン、アザトリフェニレン、あるいはこれらの誘導体、または、ポリシラン系化合物、ビニルカルバゾール系化合物、チオフェン系化合物あるいはアニリン系化合物等の複素環式共役系のモノマー、オリゴマーあるいはポリマーを挙げることができる。
【００５２】
正孔輸送層１０は、上述の正孔注入層９と同様に、発光層１１への正孔注入効率を高めるためのものであり、正孔輸送層１０を形成する材料としては、上述の正孔注入層９と同様のものが使用できる。
【００５３】
発光層１１は、第１電極６、及び第２電極８による電圧印加の際に、両電極の各々から正孔および電子が注入されるとともに、正孔と電子が再結合する領域である。この発光層１１は、発光効率が高い材料により形成され、例えば、低分子蛍光色素、蛍光性の高分子、金属錯体等の有機材料により形成されている。より具体的には、例えば、アントラセン、ナフタレン、インデン、フェナントレン、ピレン、ナフタセン、トリフェニレン、アントラセン、ペリレン、ピセン、フルオランテン、アセフェナントリレン、ペンタフェン、ペンタセン、コロネン、ブタジエン、クマリン、アクリジン、スチルベン、あるいはこれらの誘導体、トリス（８−キノリノラト）アルミニウム錯体、ビス（ベンゾキノリノラト）ベリリウム錯体、トリ（ジベンゾイルメチル）フェナントロリンユーロピウム錯体ジトルイルビニルビフェニルが挙げられる。
【００５４】
電子輸送層１２は、第２電極８から注入される電子を発光層１１に輸送するためのものである。この電子輸送層１２を形成する材料としては、例えば、キノリン、ペリレン、フェナントロリン、ビススチリル、ピラジン、トリアゾール、オキサゾール、オキサジアゾール、フルオレノン、またはこれらの誘導体や金属錯体が挙げられる。より具体的には、トリス（８−ヒドロキシキノリン）アルミニウム、アントラセン、ナフタレン、フェナントレン、ピレン、アントラセン、ペリレン、ブタジエン、クマリン、アクリジン、スチルベン、１，１０−フェナントロリン、またはこれらの誘導体や金属錯体が挙げられる。
【００５５】
電子注入層１３は、上述の電子輸送層１２と同様に、第２電極８から注入される電子を発光層１１に輸送するためのものであり、電子注入層１３を形成する材料としては、上述の電子輸送層１２と同様のものが使用できる。
【００５６】
第２電極８は、有機層７に電子を注入する機能を有するものである。この第２電極８は、例えば、マグネシウム合金（ＭｇＡｇ等）、アルミニウム合金（ＡｌＬｉ、ＡｌＣａ、ＡｌＭｇ等）、金属カルシウム、または仕事関数の小さい金属等により形成されている。
【００５７】
素子基板３０と封止基板２０とを接着するシール材５は、素子基板３０と封止基板２０とを固定するためのものである。このシール材５を形成する材料としては、例えば、アクリル樹脂、エポキシ樹脂等の紫外線硬化性樹脂や熱硬化性樹脂を使用する構成としている。
【００５８】
また、シール材５には、素子基板３０と封止基板２０との間隔（即ち、封止樹脂１４の厚みＴ）を規制するためのスペーサ１７（図２参照）が混入されている。このスペーサ１７は、例えば、ＳｉＯ２（酸化シリコン）により形成されている。
【００５９】
また、有機ＥＬ表示装置１は、図２に示すように、樹脂により形成された封止樹脂１４を備えている。この封止樹脂１４は、有機ＥＬ素子４を水分や酸素から保護するためのものである。封止樹脂１４を形成する樹脂としては、特に限定されず、例えば、紫外線硬化性樹脂、熱硬化性樹脂、二液型硬化性樹脂、水分硬化性樹脂、嫌気性硬化性樹脂、及びホットメルト型樹脂等を使用することができる。このうち、水分透過性及び酸素透過性を有する紫外線硬化型、熱硬化型、及び二液硬化型のエポキシ樹脂を使用することが好ましい。また、封止樹脂１４の製造工程数を減らして、封止樹脂１４を容易に形成するとの観点から、紫外線硬化性樹脂を使用することが好ましい。また、有機ＥＬ素子４の耐久性を十分に確保するとの観点から、封止樹脂１４の厚みＴは、１〜１００μｍであることが好ましい。
【００６０】
なお、本実施形態においては、図２に示すように、有機ＥＬ素子４と封止樹脂１４との接触を防止して、有機ＥＬ素子４を保護するための保護膜１５が、有機ＥＬ素子４の表面上に設けられている。この保護膜１５を形成する材料としては、例えば、ＳｉＯ２、ＳｉＯＮ等の無機材料が挙げられる。
【００６１】
ここで、本実施形態における有機ＥＬ表示装置１においては、封止樹脂１４が、封止基板２０上に形成されるとともに、素子基板３０と封止基板２０との間に設けられている点に特徴がある。
【００６２】
このような構成により、上記従来技術とは異なり、素子基板３０側に設けられた有機ＥＬ素子４の表面上に封止樹脂１４を塗布する必要がなくなるため、素子基板３０と封止基板２０との間での封止樹脂１４の厚みの制御が容易になる。
【００６３】
即ち、封止樹脂１４が、封止基板２０上に形成されるため、素子基板３０において、表示領域Ｄの表面とその周辺の領域の表面の凹凸の程度が異なる場合であっても、封止基板２０上に形成された封止樹脂１４の厚みを均一にすることが可能になる。また、封止樹脂１４の厚みが均一になるため、素子基板３０と封止基板２０とを貼り合わせた場合であっても、表示領域Ｄとその周辺の領域における素子基板３０と封止基板２０間の距離を均一にすることが可能になる。また、表示領域Ｄにおいて、一方の基板側に上記凹凸に起因する跳ね上がりが発生することを防止することができるため、局所的に素子基板３０と封止基板２０間の距離が大きくなるという不都合を回避することができる。従って、表示領域Ｄとその周辺領域において、基板間の距離が大きく異なることがなくなるため、表示ムラの発生を防止することができる。
【００６４】
また、封止基板２０上に封止樹脂１４を形成するため、素子基板３０側に設けられた有機ＥＬ素子４の表面上に封止樹脂１４を塗布する必要がなくなる。従って、表示領域Ｄにおける塗布打痕（即ち、封止樹脂１４の樹脂材料の塗布打痕）の発生を防止できる。
【００６５】
また、本実施形態の有機ＥＬ表示装置１においては、図１、図２に示すように、有機ＥＬ表示装置１の面方向Ｘにおいて、シール材５と封止樹脂１４とが離間して配置されている点に特徴がある。即ち、有機ＥＬ表示装置１の面方向Ｘにおいて、シール材５と樹脂材料１４ａ（即ち、封止樹脂１４）との間にスペース１６を形成する構成としている。
【００６６】
このような構成により、素子基板３０と封止基板２０を貼り合わせる際に、シール材５と封止樹脂１４との接触を回避することができるため、未硬化の封止樹脂１４とシール材５が物理的に混ざり合い、未硬化の封止樹脂１４によりシール材５が溶解する現象（相溶作用）の発生を防止することができる。
【００６７】
また、相溶作用を防止できるため、相溶作用に起因する未反応材料からのアウトガスの発生を防止することができる。
【００６８】
また、シール材５と封止樹脂１４とが離間して配置されているため、シール材５と封止樹脂１４との間にスペース１６が形成されることになる。従って、素子基板３０と封止基板２０を貼り合わせる際に、封止樹脂１４等の材料からアウトガスが発生した場合であっても、発生したアウトガスをスペース１６に向けて効率よく逃がすことが可能なる。
【００６９】
次に、本実施形態の有機ＥＬ表示装置の製造方法の一例について説明する。図４〜図１３は、本発明の実施形態に係る有機ＥＬ表示装置の製造方法を説明するための図である。
【００７０】
＜有機ＥＬ素子形成工程＞
まず、図４に示すように、基板サイズが３００×４００ｍｍで、厚さが０．７ｍｍのガラス基板等の素子基板３０上に、スパッタ法によりＩＴＯ膜をパターン形成して、第１電極６を形成する。このとき、第１電極６の膜厚は、例えば、１５０ｎｍ程度に形成する。
【００７１】
次に、第１電極６上に、発光層１１を含む有機層７、及び第２電極８を金属製のマスクを使用して、蒸着法により形成する。
【００７２】
より具体的には、まず、第１電極６を備えた素子基板３０を蒸着装置のチャンバー内に設置する。なお、蒸着装置のチャンバー内は、真空ポンプにより、１×１０−５〜１×１０−４（Ｐａ）の真空度に保たれている。また、第１電極６を備えた素子基板３０は、チャンバー内に取り付けられた１対の基板受けによって２辺を固定した状態で設置する。
【００７３】
そして、蒸着源から、正孔注入層９、正孔輸送層１０、発光層１１、電子輸送層１２、および電子注入層１３の各蒸着材料を順次蒸発させて、正孔注入層９、正孔輸送層１０、発光層１１、電子輸送層１２、および電子注入層１３を積層することにより、図５に示すように、画素領域であって第１電極６上にに有機層７を形成する。
【００７４】
そして、図６に示すように、有機層７上に、第２電極８を形成することにより、素子基板３０上に、第１電極６、有機層７、及び第２電極８を備えた有機ＥＬ素子４を形成する。
【００７５】
なお、蒸発源としては、例えば、各蒸発材料が仕込まれた坩堝を使用することができる。坩堝は、チャンバー内の下部に設置されるとともに、坩堝にはヒーターが備え付けられており、このヒーターにより、坩堝は加熱される。そして、ヒーターによる加熱により、坩堝の内部温度が各種蒸着材料の蒸発温度に到達することで、坩堝内に仕込まれた各種蒸着材料が蒸発分子となってチャンバー内の上方向へ飛び出す。
【００７６】
また、有機層７、及び第２電極８の形成方法の具体例としては、まず、素子基板３０上にパターニングされた第１電極６上に、ＲＧＢ全ての画素に共通して、ｍ−ＭＴＤＡＴＡ（4,4,4-tris(3-methylphenylphenylamino)triphenylamine）からなる正孔注入層９を、マスクを介して、例えば、２５ｎｍの膜厚で形成する。続いて、正孔注入層９上に、ＲＧＢ全ての画素に共通して、α−ＮＰＤ（4,4-bis(N-1-naphthyl-N-phenylamino)biphenyl）からなる正孔輸送層１０を、マスクを介して、例えば、３０ｎｍの膜厚で形成する。次に、赤色の発光層１１として、ジ(2-ナフチル)アントラセン（ＡＤＮ）に2,6-ビス（(4’-メトキシジフェニルアミノ)スチリル）-1,5-ジシアノナフタレン（ＢＳＮ）を３０重量％混合したものを、マスクを介して、画素領域に形成された正孔輸送層１０上に、例えば、３０ｎｍの膜厚で形成する。次いで、緑色の発光層１１として、ＡＤＮにクマリン６を５重量％混合したものを、マスクを介して、画素領域に形成された正孔輸送層１０上に、例えば、３０ｎｍの膜厚で形成する。次に、青色の発光層１１として、ＡＮＤに4,4’-ビス（2-{4-(N,N-ジフェニルアミノ)フェニル}ビニル）ビフェニル(ＤＰＡＶＢｉ)を２．５重量％混合したものを、マスクを介して、画素領域に形成された正孔輸送層１０上に、例えば、３０ｎｍの膜厚で形成する。次いで、各発光層１１上に、ＲＧＢ全ての画素に共通して、8-ヒドロキシキノリンアルミニウム(Ａｌｑ３)を電子輸送層１２として、マスクを介して、例えば、２０ｎｍの膜厚で形成する。次いで、電子輸送層１２上に、フッ化リチウム(ＬｉＦ)を電子注入層１３として、マスクを介して、例えば、０．３ｎｍの膜厚で形成する。そして、第２電極８として、マグネシウム銀(ＭｇＡｇ)からなる陰極を、例えば、１０ｎｍの膜厚で形成する。
【００７７】
次いで、図７に示すように、形成された有機ＥＬ素子４の表面上に、当該有機ＥＬ素子４を保護するための保護膜１５を形成する。この保護膜１５は、例えば、ＳｉＯ２、ＳｉＯＮ等の無機材料を、蒸着法、スパッタ法、化学気相成長法等により、有機ＥＬ素子４の表面上に積層することにより形成することができる。
【００７８】
＜シール材形成工程＞
まず、図８、図１０に示すように、基板サイズが７３０ｍｍ×９２０ｍｍで、厚さが０．７ｍｍのガラス基板等の封止基板２０上に、上述したエポキシ樹脂等の材料を、ディスペンサやマスク印刷法、フレキソ印刷法等により塗布して、シール材５を枠状に形成する。
【００７９】
＜樹脂材料塗布工程（滴下注入工程）＞
次いで、封止基板２０に形成されたシール材５の内側に、封止樹脂１４を形成するための樹脂材料を、ディスペンサやマスク印刷法、滴下注入法等により、シール材５から離間させて塗布する。ここで、本実施形態においては、上述のごとく、シール材５と封止樹脂１４とを離間して配置するため、封止樹脂１４を形成する樹脂材料を塗布する際に、封止基板２０上に形成されたシール材５と樹脂材料との接触を容易に回避するとの観点から、シール材５の内側に、樹脂材料を滴下して注入することにより塗布することが好ましい。
【００８０】
この場合、図９、図１０に示すように、封止基板２０に形成されたシール材５の内側に、封止樹脂１４を形成するための樹脂材料１４ａを滴下して注入することにより塗布する。なお、樹脂材料１４ａとしては、例えば、アクリル樹脂、エポキシ樹脂等の紫外線硬化性樹脂や、エポキシ樹脂等の二液硬化型性樹脂が使用される。
【００８１】
また、樹脂材料１４ａの滴下は、例えば、樹脂材料１４ａを滴下する機能を有した滴下装置が基板面全体に亘って移動しながら樹脂材料１４ａを滴下することにより行われ、シール材５との接触を確実に回避するとの観点から、シール材５の近傍から滴下しないようにする。
【００８２】
また、シール材５と封止樹脂１４との接触を回避して、シール材５と封止樹脂１４とを確実に離間して配置するとの観点から、樹脂材料１４ａの粘度を調整して滴下することが好ましい。より具体的には、例えば、滴下する樹脂材料１４ａの粘度を上げて、滴下した樹脂材料１４ａがシール材５の内側における封止基板２０の表面上を拡散しないようにする。また、滴下する樹脂材料１４ａの粘度を下げて、樹脂材料１４ａをシール材５の内側における封止基板２０の中央部付近に集中させて滴下する。
【００８３】
例えば、有機ＥＬ表示装置１の面方向Ｘにおけるシール材５と封止樹脂１４との距離Ｅを０．１ｍｍ以上に設定する場合は、１０〜２０Ｐａ・ｓの樹脂材料１４ａを使用する。このように粘度を設定すれば、樹脂材料１４ａを硬化させるまでの処理時間（例えば、２時間）において、封止基板２０の平面上に滴下された樹脂材料１４ａが流動する距離を考慮した場合であっても、シール材５と封止樹脂１４との接触を回避して、シール材５と封止樹脂１４とを確実に離間して配置することが可能になる。
【００８４】
＜貼合体形成工程＞
次いで、真空雰囲気で、シール材５が形成された封止基板２０と、有機ＥＬ素子４が形成された素子基板３０とを、有機ＥＬ素子４と樹脂材料１４ａが重なり合うように、素子基板３０上に封止基板２０を重ね合わせて、図１１に示すように、素子基板３０上に、封止基板２０に形成されたシール材５の表面５ａを載置させる。
【００８５】
次いで、図１２に示すように、真空雰囲気で、所定の条件下（例えば、１００Ｐａ以下の圧力）において、シール材５の内側における真空気密状態を保持した状態で、窒素リークを行うとともに、大気圧までパージを行って差圧で加圧処理を行うことにより、シール材５を介して、素子基板３０と封止基板２０とを貼り合わせ、素子基板３０と封止基板２０とが貼り合わされた貼合体を形成する。なお、素子基板３０と封止基板２０を貼り合わせる際に、加圧により、滴下注入された樹脂材料１４ａが、シール材５の内側において、均一に拡散するとともに、図１２に示すように、有機ＥＬ表示装置１の面方向Ｘにおいて、シール材５と樹脂材料１４ａとの間にスペース１６が形成される。
【００８６】
＜樹脂硬化工程＞
次いで、図１３に示すように、封止基板２０側から紫外線（図１３における矢印）を照射して、均一に拡散した樹脂材料１４ａを硬化させて、封止基板２０上に封止樹脂１４を形成するとともに、シール材５を形成する樹脂を硬化させる。この際、有機ＥＬ表示装置１の面方向Ｘにおいて、シール材５と封止樹脂１４とが離間して配置されることになる。
【００８７】
なお、照射する紫外線は、０．５〜１０Ｊが好ましく、１〜６Ｊがより好ましい。また、紫外線照射後、樹脂の硬化を促進させるために、大気中にて加熱処理（７０℃以上１２０℃以下、１０分以上２時間以下）を行う。また、この加熱処理によりシール材５及び封止樹脂１４が熱収縮され、シール材５と樹脂材料１４ａとの間にスペース１６が確実に形成されるとともに、シール材５と封止樹脂１４とが確実に離間して配置されることになる。
【００８８】
また、封止樹脂１４の厚みをＴ、有機ＥＬ表示装置１の面方向Ｘにおけるシール材５と封止樹脂１４との距離をＥ、シール材の幅をＬとした場合、０．５Ｌ＋０．１Ｔ≦Ｅ≦５０Ｔの関係が成立するように、シール材５と封止樹脂１４とを離間させて配置することが好ましい。これは、０．５Ｌ＋０．１Ｔ＞Ｅの場合は、シール材５と封止樹脂１４との間に形成されるスペース１６が小さくなるため、素子基板３０と封止基板２０を貼り合わせる際に、上述の相溶作用の発生を防止することが困難になるとともに、封止樹脂１４等の材料から発生するアウトガスをスペース１６へ効率よく逃がすことが困難になる場合があるためである。また、５０Ｔ＜Ｅの場合は、シール材５と封止樹脂１４との間に形成されるスペース１６が大きくなるため、有機ＥＬ表示装置の小型化が困難になる場合があるためである。
【００８９】
従って、例えば、シール材５の幅Ｌを１０００μｍ、封止樹脂１４の厚みＴを２０μｍに設定する場合、有機ＥＬ表示装置１の面方向Ｘにおいて、シール材５と封止樹脂１４との距離Ｅを５０２μｍ以上１０００μｍ以下に設定することが好ましい。
【００９０】
以上に説明した本実施形態によれば、以下の効果を得ることができる。
【００９１】
（１）本実施形態においては、封止樹脂１４を封止基板２０上に形成する構成としている。従って、上記従来技術とは異なり、素子基板３０の表面上に封止樹脂１４を塗布する必要がなくなるため、素子基板３０と封止基板２０との間での封止樹脂１４の厚みの制御が容易になる。その結果、有機ＥＬ表示装置１の表示性能の低下を防止することが可能になる。
【００９２】
（２）また、封止基板２０上に封止樹脂１４を形成するため、素子基板３０側に設けられた有機ＥＬ素子４の表面上に封止樹脂１４を塗布する必要がなくなる。従って、表示領域Ｄにおける塗布打痕の発生を防止でき、当該塗布打痕に起因する有機ＥＬ表示装置１の表示品質の低下を防止できる。
【００９３】
（３）また、有機ＥＬ表示装置１の面方向Ｘにおいて、シール材５と封止樹脂１４とを離間して配置する構成としている。従って、素子基板３０と封止基板２０を貼り合わせる際に、シール材５と封止樹脂１４との接触を回避することができるため、未硬化の封止樹脂１４とシール材５が物理的に混ざり合い、未硬化の封止樹脂１４によりシール材５が溶解する現象（相溶作用）の発生を防止することができる。また、相溶作用を防止できるため、相溶作用に起因する未反応材料からのアウトガスの発生を防止することができる。
【００９４】
（４）また、有機ＥＬ表示装置１の面方向Ｘにおいて、シール材５と封止樹脂１４とを離間して配置する構成としている。従って、素子基板３０と封止基板２０を貼り合わせる際に、シール材５と封止樹脂１４との接触を回避することができるため、封止樹脂１４がシール材５上に乗りかかることを防止することができ、素子基板３０とシール材５との間に封止樹脂１４が挟まることを防止できる。その結果、封止基板２０と素子基板３０との密着性の低下を防止できるため、外部からの水分や酸素の流入を防止して、有機ＥＬ素子４の損傷を回避でき、有機ＥＬ表示装置１の表示品質の低下を防止できる。
【００９５】
（５）また、シール材５と封止樹脂１４とが離間して配置されているため、シール材５と封止樹脂１４との間にスペース１６が形成されることになる。従って、素子基板３０と封止基板２０を貼り合わせる際に、封止樹脂１４等の材料からアウトガスが発生した場合であっても、発生したアウトガスをスペース１６に向けて効率よく逃がすことが可能なる。その結果、アウトガスにより、有機ＥＬ表示装置１の内部の圧力が過度に上昇して、封止樹脂１４とシール材５との界面において損傷が生じるという不都合を防止することができる。
【００９６】
（６）本実施形態においては、封止樹脂１４の厚みＴと、シール材５と封止樹脂１４との距離Ｅと、シール材の幅Ｌとの間に０．５Ｌ＋０．１Ｔ≦Ｅ≦５０Ｔの関係が成立する構成としている。従って、有機ＥＬ表示装置１の大型化という不都合を生じることなく、相溶作用の発生を防止して、アウトガスによる有機ＥＬ表示装置１の内部の圧力の上昇を防止することができる。
【００９７】
（７）本実施形態においては、封止樹脂１４の厚みを１μｍ以上１００μｍ以下に設定する構成としている。従って、有機ＥＬ素子４の耐久性を十分に確保することができる。
【００９８】
（８）本実施形態においては、封止樹脂１４を紫外線硬化性樹脂により形成する構成としている。従って、封止樹脂１４の製造工程数を減らして、封止樹脂１４を容易に形成することができる。
【００９９】
（９）本実施形態においては、封止樹脂１４をアクリル樹脂またはエポキシ樹脂により形成する構成としている。従って、安価かつ汎用性にある樹脂材料により封止樹脂１４を形成することができる。
【０１００】
なお、上記実施形態は以下のように変更しても良い。
【０１０１】
また、図１４示すように、有機ＥＬ表示装置７０において、有機ＥＬ素子４の表面（即ち、有機ＥＬ素子４の第２電極８の表面）上に、可視光透過性を有するとともに紫外線遮光性を有する遮光部材３５を設ける構成としても良い。このような構成により、上述の樹脂硬化工程において、封止基板２０側から紫外線を照射して封止樹脂１４及びシール材５を形成する際に、有機ＥＬ素子４への紫外線の進入を確実に防止することが可能になる。その結果、紫外線照射による有機ＥＬ素子４の劣化（即ち、有機層７を構成する各種機能層が化学的に変化して、本来の機能を発揮できない状態になること）を防止することが可能になる。また、遮光部材３５は可視光透過性を有するため、有機ＥＬ素子４からの発光を封止基板２０側から取り出すことが可能になる。従って、有機ＥＬ表示装置１を、素子基板３０側から光を取り出すボトムエミッション型、封止基板２０側から光を取り出すトップエミッション型、及び素子基板３０側と封止基板２０側から光を取り出す両面発光型のいずれの発光タイプにも適用することが可能になる。
【０１０２】
また、遮光部材３５は、特に限定されるものではなく、例えば、紫外線吸収性を有する材料よりなるフィルム、紫外線吸収剤を含有するコーティング剤がコートされてなるフィルム等を用いることができる。また、第２電極８の表面に、直接、紫外線吸収剤を含有するコーティング剤よりなるコーティング膜を形成し、これを遮光部材３５とすることもできる。また、第２電極８の表面に、直接、紫外線吸収剤を蒸着法等によって蒸着し、得られた蒸着膜を遮光部材３５とすることもできる。
【０１０３】
紫外線吸収性を有するフィルムを形成する材料としては、例えば、樹脂バインダーと、これに含有された紫外線吸収剤からなるものが挙げられる。また、紫外線吸収剤としては、例えば、酸化亜鉛、酸化チタン等からなる超微粒子等の無機系の紫外線吸収剤、あるいはベンゾトリアゾール系、トリアジン系、ベンゾフェノン系等の有機系の紫外線吸収剤等を用いることができる。
【０１０４】
また、紫外線吸収剤を含有するコーティング剤としては、例えば、アクリルエマルジョン、あるいは低分子量の熱硬化型のウレタンアクリレートおよび触媒等からなるコーティング液と、紫外線吸収剤とを湿式分散混合法によって混合したものを用いることができる。
【０１０５】
なお、遮光部材３５においては、紫外線遮光率が９０％以上であることが好ましく、９５％以上であることが一層好ましく、９８％以上であることがより一層好ましい。これは、紫外線遮光率が９０％未満である場合には、遮光部材３５に十分な紫外線遮光機能を付与することが困難になり、有機層７を構成する各種機能層の機能が低下する場合ががあるためである。
【０１０６】
また、この遮光部材３５は、上述の有機ＥＬ素子形成工程において、第２電極８を形成した後、例えば、真空蒸着法により第２電極８上にベンゾトリアゾール系誘導体層を設けることにより形成することができる。なお、蒸着レートとしては、０．５Å／ｓとすることができ、膜厚は紫外線遮光率が９５％以上になるように調整する。
【産業上の利用可能性】
【０１０７】
以上説明したように、本発明は、有機ＥＬ素子を備えた有機ＥＬ表示装置およびその製造方法に適している。
【符号の説明】
【０１０８】
１    有機ＥＬ表示装置
４    有機ＥＬ素子
５    シール材
６    第１電極
７    有機層
８    第２電極
１４    封止樹脂
１５    保護膜
１７    スペーサ
２０    封止基板（第２基板）
３０    素子基板（第１基板）
３５    遮光部材
７０    有機ＥＬ表示装置
Ｅ    シール材と封止樹脂の距離
Ｔ    封止樹脂の厚み
Ｘ    有機ＥＬ表示装置の面方向
【手続補正２】
【補正対象書類名】特許請求の範囲
【補正対象項目名】全文
【補正方法】変更
【補正の内容】
【特許請求の範囲】
【請求項１】
第１基板と、
前記第１基板に対向して設けられた第２基板と、
前記第１基板上に形成されるとともに、前記第１基板と前記第２基板との間に設けられた有機ＥＬ素子と、
前記第１基板と前記第２基板との間に設けられ、前記有機ＥＬ素子を封止するように前記第１基板と前記第２基板とを貼り合わせるシール材と、
前記第２基板上に形成されるとともに、前記第１基板と前記第２基板との間に設けられ、前記有機ＥＬ素子の表面を覆う封止樹脂と
を備え、
有機ＥＬ表示装置の面方向において、前記シール材と前記封止樹脂とが離間して配置されており、前記封止樹脂の厚みをＴ、前記面方向における前記シール材と前記封止樹脂との距離をＥ、前記シール材の幅をＬとした場合、０．５Ｌ＋０．１Ｔ≦Ｅ≦５０Ｔの関係が成立することを特徴とする有機ＥＬ表示装置。
【請求項２】
前記封止樹脂の厚みが１μｍ以上１００μｍ以下であることを特徴とする請求項１に記載の有機ＥＬ表示装置。
【請求項３】
前記封止樹脂が、紫外線硬化性樹脂により形成されていることを特徴とする請求項１または請求項２に記載の有機ＥＬ表示装置。
【請求項４】
前記封止樹脂が、アクリル樹脂またはエポキシ樹脂により形成されていることを特徴とする請求項１〜請求項３のいずれか１項に記載の有機ＥＬ表示装置。
【請求項５】
前記有機ＥＬ素子の表面上に、可視光透過性を有するとともに紫外線遮光性を有する遮光部材が設けられていることを特徴とする請求項１〜請求項４のいずれか１項に記載の有機ＥＬ表示装置。
【請求項６】
第１基板上に有機ＥＬ素子を形成する有機ＥＬ素子形成工程と、
第２基板上に、シール材を枠状に形成するシール材形成工程と、
前記第２基板に形成された前記シール材の内側に、封止樹脂を形成するための樹脂材料を前記シール材から離間させて塗布する樹脂材料塗布工程と、
真空雰囲気で、前記シール材を介して、前記第１基板と前記第２基板とを貼り合わせるとともに、前記シール材の内側において、前記樹脂材料を均一に拡散させる貼合体形成工程と、
前記樹脂材料を硬化させて前記封止樹脂を前記第２基板上に形成するとともに、前記シール材を形成する樹脂を硬化させ、有機ＥＬ表示装置の面方向において、前記シール材と前記封止樹脂とを離間して配置する樹脂硬化工程と
を少なくとも備えることを特徴とする有機ＥＬ表示装置の製造方法。
【請求項７】
前記樹脂硬化工程において、前記封止樹脂の厚みをＴ、前記面方向における前記シール材と前記封止樹脂との距離をＥ、前記シール材の幅をＬとした場合、０．５Ｌ＋０．１Ｔ≦Ｅ≦５０Ｔの関係が成立するように、前記シール材と前記封止樹脂とを離間して配置することを特徴とする請求項６に記載の有機ＥＬ表示装置の製造方法。
【請求項８】
前記樹脂材料塗布工程において、前記シール材の内側に、前記樹脂材料を滴下して注入することを特徴とする請求項６または請求項７に記載の有機ＥＬ表示装置の製造方法。
【請求項９】
前記樹脂硬化工程において、加熱処理を行うことを特徴とする請求項６〜請求項８のいずれか１項に記載の有機ＥＬ表示装置の製造方法。
［補正の理由等］
請求項１の発明において、補正前の請求項２の内容を付加する補正を行いました。また、請求項２を削除し、補正前の請求項３〜１０を新たな請求項２〜９としました。
【国際調査報告】
2011001573.tif 000017
2011001573.tif 000018
2011001573.tif 000019
2011001573.tif 000020